(57)【要約】      （修正有）【課題】掲示情報を夜間・昼間ともに見易く表示することができ、掲示内容を簡単に書き換えることができる仮囲い板用掲示板を提供する。【解決手段】両側に接続部１１，１２を設けた長方形の仮囲い板１の前面に、ＬＥＤドット表示器６が、表示面を外側に向けて取り付けられ、多数のＬＥＤをマトリックス状に配置して文字を表示するように取り付けられる。表示制御装置は、外部に設置された情報端末から送られる掲示情報を取り込み、その掲示情報をメモリに記憶し、ＬＥＤドット表示器６の各ＬＥＤを点灯駆動して該掲示情報を表示するように制御する。情報端末から送られた建設現場の工事に関する情報は、表示制御装置の制御動作により、ＬＥＤドット表示器６に表示される。【選択図】図１
0003164803.tif 000002
【実用新案登録請求の範囲】
【請求項１】
建設現場、資材置き場などの周囲を囲うように設置される仮囲い板に取り付けられ、工事予定などを掲示する仮囲い板用掲示板において、
両側に接続部を設けた長方形の仮囲い板の前面に、表示面を外側に向けて取り付けられ、多数のＬＥＤをマトリックス状に配置して文字を表示するＬＥＤドット表示器と、
外部に設置された情報端末から送られる掲示情報を取り込み、該掲示情報をメモリに記憶し、該ＬＥＤドット表示器の各ＬＥＤを点灯駆動して該掲示情報を表示するように制御する表示制御装置と、
を備え、該情報端末から送られた建設現場の工事に関する情報を、該表示制御装置の制御動作により、該ＬＥＤドット表示器に表示することを特徴とする仮囲い板用掲示板。
【請求項２】
前記仮囲い板の上端部に、太陽電池パネルが取り付けられ、該太陽電池パネルの太陽電池が昼間に発電した電力を蓄電する蓄電池が設けられ、該蓄電池から供給される電力を前記表示制御装置及びＬＥＤドット表示器に供給するように構成されたことを特徴とする請求項１記載の仮囲い板用掲示板。
【請求項３】
前記ＬＥＤドット表示器は防水ケースに収納した状態で前記仮囲い板の前面にその表示面を前面に向けて取り付けられ、前記表示制御装置は防水ケースに収納した状態で該仮囲い板の背面に取り付けられたことを特徴とする請求項１または２記載の仮囲い板用掲示板。
【請求項４】
前記表示制御装置には携帯型メモリ内に記憶された情報を入力する入出力回路とコネクタが設けられ、携帯型メモリに掲示情報を記憶しておき、該携帯型メモリを該表示制御装置の該入出力回路に接続することにより、該掲示情報を該表示制御装置内のメモリに書き込み、表示を行なうことを特徴とする請求項１，２，３の何れかに記載の仮囲い板用掲示板。
【考案の詳細な説明】
【技術分野】
【０００１】
本考案は、建設現場、資材置き場などの周囲を囲うように設置される仮囲い板に取り付けられる仮囲い板用掲示板に関し、特に情報端末から掲示情報をＬＥＤドット表示器に送って表示することにより、掲示板の表示を自動的に変えることができ、夜間には掲示情報を明るく表示することができる仮囲い板用掲示板に関する。
【背景技術】
【０００２】
建設現場、資材置き場などの周囲は、通常、所定の大きさの仮囲い板を並設して囲われているが、この際に使用される仮囲い板は、下記特許文献１に記載されるように、薄い鋼板を長方形に裁断し、両側縦方向に半円形断面の溝部を補強用に形成して構成され、このような仮囲い板は、建設現場などの広い周囲を囲うように多数が連結されて設置される。
【０００３】
一方、建設現場の仮囲い板には、通常、その外側に、掲示板が設けられ、掲示板には、１週間の工事予定が、前もって書き込まれ、この１週間の工事予定は、必然的に１週間毎に書き換えられている。
【先行技術文献】
【特許文献】
【０００４】
【特許文献１】特開平６−２８８０９８号公報
【考案の概要】
【考案が解決しようとする課題】
【０００５】
しかし、従来のこの種の掲示板は、手書き式であるため、１週間毎に担当者が仮囲い板の掲示板まで出向いて、１週間の工事予定を書き換える必要があり、煩雑な作業を強いられている。
【０００６】
また、夜間或いは日没後には掲示板の文字が見難くなるため、照明器具を掲示板に設けて、夜間などには掲示板を照明するようにしているが、そのために、電源線を掲示板まで敷設する必要があり、従来のこの種の仮囲いに設置される照明器具は、長い電源線の各所に多数の照明具を取り付けた簡単な構造のものであり、乱雑に照明灯を配置しただけの構造であるため、掲示板の文字が見難いという問題があった。
【０００７】
本考案は、上述の点に鑑みなされたもので、掲示情報を夜間・昼間ともに見易く表示することができ、掲示内容を簡単に書き換えることができる仮囲い板用掲示板を提供することを目的とする。
【課題を解決するための手段】
【０００８】
このために、本考案の請求項１に係る仮囲い板用掲示板は、建設現場、資材置き場などの周囲を囲うように設置される仮囲い板に取り付けられ、工事予定などを掲示する仮囲い板用掲示板において、
両側に接続部を設けた長方形の仮囲い板の前面に、表示面を外側に向けて取り付けられ、多数のＬＥＤをマトリックス状に配置して文字を表示するＬＥＤドット表示器と、
外部に設置された情報端末から送られる掲示情報を取り込み、該掲示情報をメモリに記憶し、該ＬＥＤドット表示器の各ＬＥＤを点灯駆動して該掲示情報を表示するように制御する表示制御装置と、
を備え、該情報端末から送られた建設現場の工事に関する情報を、該表示制御装置の制御動作により、該ＬＥＤドット表示器に表示することを特徴とする。
【０００９】
この考案によれば、外部の情報端末から掲示情報を表示制御装置に送るのみで、１週間の工事予定などをＬＥＤドット表示器に表示して掲示することができ、従来のように１週間毎に担当者が仮囲い板の掲示板まで出向いて、書き換える必要がなく、簡便に使用することができる。
【００１０】
また、ＬＥＤドット表示器は、ＬＥＤが点灯して文字を表示するので、夜間或いは日没後にも文字が見やすく、従来の掲示板のように照明器具を設置する必要がなく、掲示情報をすっきりと見やすく表示することができる。
【００１１】
ここで、上記仮囲い板の上端部に、太陽電池パネルを取り付け、太陽電池パネルの太陽電池が昼間に発電した電力を蓄電する蓄電池を設け、蓄電池から供給される電力を表示制御装置及びＬＥＤドット表示器に供給するように構成することができる。
【００１２】
この考案によれば、太陽電池パネルの太陽電池が昼間に発電し、その発電電力を蓄電池に蓄電し、蓄電池からの電力を表示制御装置及びＬＥＤドット表示器に供給して、掲示情報を掲示するように動作するので、商用電力用の配線を敷設する必要がなく、電力費も不要となる。
【００１３】
さらに、上記ＬＥＤドット表示器を防水ケースに収納した状態で上記仮囲い板の前面にその表示面を前面に向けて取り付け、上記表示制御装置を防水ケースに収納した状態で仮囲い板の背面に取り付けることが好ましい。
【００１４】
この考案によれば、ＬＥＤドット表示器をそれほど仮囲い板から突出させることなく、仮囲い板の前面に平坦状に取り付け、違和感なく掲示情報を掲示することができ、雨天でも問題なく使用することができる。
【００１５】
また、上記表示制御装置には携帯型メモリ内に記憶された情報を入力する入出力回路とコネクタが設けられ、携帯型メモリに掲示情報を記憶しておき、該携帯型メモリを該表示制御装置の該入出力回路に接続することにより、該掲示情報を該表示制御装置内のメモリに書き込み、表示を行なうように構成することができる。
【００１６】
この考案によれば、掲示情報を記憶した携帯型メモリを表示制御装置の入出力回路に接続するのみで、その掲示情報を簡単にＬＥＤドット表示器に表示することができる。
【考案の効果】
【００１７】
本考案の仮囲い板用掲示板によれば、外部の情報端末から掲示情報を表示制御装置に送るのみで、１週間の工事予定などをＬＥＤドット表示器に表示し、簡単に書き換えることができる。また、ＬＥＤドット表示器は、ＬＥＤが点灯して文字を表示するので、夜間或いは日没後にも文字が見やすく表示することができる。
【図面の簡単な説明】
【００１８】
【図１】本考案の一実施形態を示す仮囲い板用掲示板の正面図である。
【図２】仮囲い板上の太陽電池パネルを開いた状態の側面図である。
【図３】仮囲い板上の太陽電池パネルを閉じた状態の側面図である。
【図４】ＬＥＤドット表示器の拡大正面図である。
【図５】図１のV-V断面図である。
【図６】ＬＥＤドット表示器の表示駆動に使用される電気回路のブロック図である。
【考案を実施するための形態】
【００１９】
以下、本考案の一実施形態を図面に基づいて説明する。図１は仮囲い板用掲示板の正面図を示している。仮囲い板１は、建設現場、資材置き場などの周囲を囲うように設置される仮囲いであり、概略的には、両側に接続部１１，１２を設けた長方形の板状本体の正面に、平板状で掲示情報を表示するＬＥＤドット表示器６が取り付けられる。
【００２０】
さらに、仮囲い板１の上端部には、太陽電池パネル３が取り付けられ、太陽電池パネル３の太陽電池４が昼間に発電した電力を蓄電する蓄電池５が設けられ、夜間に、蓄電池５から供給される電力を使用して表示制御装置７及びＬＥＤドット表示器６を駆動するようになっている。
【００２１】
仮囲い板１は、例えば約１ｍｍ厚の亜鉛鋼板などを、長方形に裁断し、両側に、平面視でくの字状に曲折した接続部１１、及び略半円形の溝を縦方向に形成した接続部１２を設けて構成される。仮囲い板は、このような接続部１１、１２を相互に組み合わせて接続することにより、多数の仮囲い板が並設されて仮囲いを形成するようになっている。また、仮囲い板１の背面には、足場用鋼管に固定するための固定係止部１３が設けられ、仮囲いの内側に配設される足場用鋼管に係止されて立設される構造となっている。
【００２２】
このような仮囲い板１の正面下部の見やすい位置に、平板状で面発光を行なうＬＥＤドット表示器６が取り付けられる。このＬＥＤドット表示器６は、図４に示すように、直方体箱状の防水ケース８内に収納され、防水ケース８の正面は透明板（透明合成樹脂またはガラス板）で覆われており、ＬＥＤドット表示器６の表示面を前方から良好に視認できる構造となっている。
【００２３】
さらに、ＬＥＤドット表示器６の背面側つまり仮囲い板１の背面側に、ＬＥＤドット表示器６の文字表示を制御駆動する表示制御装置７が防水ケースに収納された状態で取り付けられる。表示制御装置７は、図６に示す如く、基本的には、ＣＰＵ，ＲＯＭ，ＲＡＭを１ボード上に実装したシングルボードマイクロコンピュータから構成され、外部の情報端末１０から送られた掲示情報（文字データ）を一旦メモリに記憶し、ＬＥＤドット表示器６に対し、その掲示情報のデータ、クロック信号、制御信号、及びアドレス信号を出力し、掲示情報の文字をＬＥＤドット表示器６に表示させるように、ＬＥＤドット表示器６を制御する構成となっている。
【００２４】
また、表示制御装置７には、外部の情報端末１０から送られる掲示情報を取り込むためにＬＡＮボードが設けられ、ＬＡＮケーブルが情報端末１０との間に接続される。
【００２５】
なお、無線ＬＡＮ装置をＬＡＮボードに接続し、情報端末１０から無線ＬＡＮを介して掲示情報を表示制御装置７に送るように構成することもでき、この場合、掲示情報は無線通信により情報端末１０から表示制御装置７に送信されるから、ＬＡＮケーブルを敷設する必要はなくなる。
【００２６】
また、表示制御装置７に、フラッシュメモリ、ＵＳＢメモリなどの携帯型メモリ用の入出力回路及びコネクタを設け、フラッシュメモリまたはＵＳＢメモリに掲示情報を一旦記憶しておき、その携帯型メモリを表示制御装置７に接続して、掲示情報を直接入力するように構成することもできる。これによれば、ＬＡＮケーブルや無線ＬＡＮを設けずに、表示制御装置７に掲示情報を簡単に入力することができる。
【００２７】
ＬＥＤドット表示器６は、多数のＬＥＤがマトリックス状に配置されたドットマトリックス方式のＬＥＤ表示装置であり、例えば、シフトレジスタ方式の場合、表示部に配置されたＬＥＤドットマトリックスに、シフトレジスタが接続されると共に、アドレスコントローラが接続され、シフトレジスタ及びアドレスコントローラの動作により選択的にＬＥＤを点灯し、ドットであるＬＥＤの点灯によって文字を表示するように動作する。
【００２８】
また、ＬＥＤドット表示器６がメモリ方式のＬＥＤ表示装置の場合、ＬＥＤドットマトリックスには、その全ドットに対応した記憶領域を有するＲＡＭが接続される。ＲＡＭには文字情報を表示するためにシフトレジスタとアドレスコントローラが接続され、シフトレジスタには文字データとクロック信号が入力され、アドレスコントローラにはアドレス信号が入力される。文字を表示する際、文字データがシフトレジスタを介してＲＡＭにその文字データ、つまりＬＥＤドットマトリックスの全ドットに対応したデータが一旦記憶される。そして、そのＲＡＭの記憶内容に基づき、ＬＥＤドットマトリックスが選択的に点灯駆動され、掲示情報つまり文字情報が点灯表示されるようになっている。
【００２９】
さらに、このＬＥＤドット表示器６及び表示制御装置７に電力を供給するために、太陽電池パネル３が、仮囲い板の仮囲い板１の上端部に装着される。太陽電池パネル３は、図１〜３に示すように、２枚の板状の太陽電池パネルから構成され、仮囲い板１の上端部に水平に取り付けた支持軸３ａにより回動可能に枢支され、太陽電池パネル３は仮囲い板１上で開閉可能に取り付けられる。つまり、水平に支持された支持軸３ａの両側に、２枚の太陽電池パネルが回動可能に支持されており、水平面または鉛直面に対し、太陽電池パネル３の角度が変更できるようになっている。
【００３０】
図６は上記太陽電池パネル３に内蔵された太陽電池４を電源として、ＬＥＤドット表示器６内のＬＥＤを点灯駆動する電気回路の構成ブロック図を示している。太陽電池４で発電された電力を蓄電するために、蓄電池５が接続されている。蓄電池５としては、リチュームイオン電池、小型密閉式鉛蓄電池などを使用することができる。太陽電池４で発電された電力は、逆流防止用ダイオード１６と定電圧充電回路１８を通して、蓄電池５に充電されるように接続されている。
【００３１】
定電圧充電回路１８は昼間、太陽電池４が所定レベル以上の起電力を発生するとき、蓄電池５に一定電圧の充電電流を流し、蓄電池５に蓄電するように構成される。定電圧充電回路１８には、昼と夜を判別してその判別信号を出力する昼夜判別回路１９が接続され、昼間の時間帯つまり充電電流を確保できる時間帯に定電圧充電回路１８を動作させて充電を行なうようになっている。蓄電池５には表示制御装置７及びＬＥＤドット表示器６が接続される。
【００３２】
これらの蓄電池５、定電圧充電回路１８、昼夜判別回路１９などの電気回路は、表示制御装置７の防水ケース内に設置することができるが、専用のボックスを仮囲い板１の背面などの一部に取り付け、そこに設置することもできる。
【００３３】
また、ＬＥＤドット表示器６は仮囲い板１の正面側に取り付けたが、仮囲い板１の内側一部を切り抜き、その開口部にＬＥＤドット表示器６を嵌め込むように取り付けることもできる。
【００３４】
また、太陽電池パネル３においては、パネル枠の前面側に、断面三角形の反射面部３ｂを形成し、その部分に照射された太陽光を太陽電池４側に反射させて太陽の照度を増加させるようにすることもできる。
【００３５】
上記構成の仮囲い板１は、建設現場、資材置き場などの周囲を囲うように設置される。仮囲い板１の設置は、従来と同様、現場内に組まれた足場用鋼管に対し、仮囲い板１を並べて並設するように取り付けられ、各仮囲い板１はその背面の固定係止部１３を、足場用鋼管に係止させて固定される。この状態で、仮囲い板１の正面に設けたＬＥＤドット表示器６は仮囲い板１の正面側に配置される。
【００３６】
夜間には、図３に示すように、仮囲い板の上部の太陽電池パネル３は、上部の支持軸３ａを軸に下側に回動されて、閉じた状態とされる。これにより、夜間、強風などによる太陽電池パネル３の破損を防止することができる。
【００３７】
一方、昼間には、昼夜判別回路１９の動作により、定電圧充電回路１８が動作し、太陽光を受けて太陽電池パネル３の太陽電池４が発電を開始すると、その起電力が定電圧充電回路１８を経て蓄電池５に供給され、蓄電池５に蓄電が行なわれる。このような蓄電池５への蓄電動作は、太陽電池パネル３が太陽光を受けて発電する昼間中に実施され、ＬＥＤドット表示器６が消費する電力量が蓄電されることとなる。また、昼間には、図２のように、仮囲い板１の上部の太陽電池パネル３が、上方の太陽に向かって開いた状態とされ、効率よく太陽光を受光して、太陽電池４は発電することができる。
【００３８】
なお、蓄電池５の蓄電容量が十分ではなく、或いは雨天や曇天が続き、太陽電池４の発電量が十分でない場合、蓄電池５から商用電源に切り替えて、表示制御装置７及びＬＥＤドット表示器６を駆動することもできる。
【００３９】
ＬＥＤドット表示器６に、１週間の工事予定を掲示する場合、外部の情報端末１０から、その１週間の工事予定の文字情報を、表示制御装置７に送信する。表示制御装置７は、１週間の工事予定の文字情報を取り込むと、一旦ＲＡＭに記憶し、ＬＥＤドット表示器６のＬＥＤドットマトリックスの全ドットに対応したＲＡＭの表示記憶領域のデータに基づき、ＬＥＤドット表示器６のＬＥＤが選択的に点灯し、文字情報つまり１週間の工事予定が、図４に示すように文字で自動的に表示される。ＬＥＤドット表示器６はＬＥＤの点灯により文字が表示されるので、暗い昼間或いは夜間においても、文字情報つまり１週間の工事予定は、照明器具なしに鮮明に明るく表示される。
【００４０】
また、掲示する文字情報を変更する場合、情報端末１０から新たな文字情報を表示制御装置７に送信する。表示制御装置７は、新たな文字情報を取り込むと、ＲＡＭの表示記憶領域のデータが新たな文字情報に書き換えられ、これにより、
ＬＥＤドット表示器６には、新たな文字情報が表示され、掲示する文字情報が自動的に変更されることとなる。
【００４１】
このように、外部の情報端末１０から掲示情報を表示制御装置７に送るのみで、１週間の工事予定などをＬＥＤドット表示器６に表示して掲示することができ、従来のように１週間毎に担当者が仮囲い板の掲示板まで出向いて、書き換える必要がなく、工事予定などを簡便に掲示することができる。
【００４２】
また、ＬＥＤドット表示器６は、ＬＥＤが点灯して文字を表示するので、夜間或いは日没後にも文字が見やすく、従来の掲示板のように照明器具を設置する必要がなく、掲示情報をすっきりと見やすく表示することができる。
【符号の説明】
【００４３】
１      仮囲い板
３      太陽電池パネル
４      太陽電池
５      蓄電池
６      ＬＥＤドット表示器
７      表示制御装置
８      防水ケース
１０    情報端末
１１    接続部
１２    接続部
１３    固定係止部
１６    逆流防止用ダイオード
１８    定電圧充電回路
１９    昼夜判別回路
【図１】
0003164803.tif 000003
【図２】
0003164803.tif 000004
【図３】
0003164803.tif 000005
【図４】
0003164803.tif 000006
【図５】
0003164803.tif 000007
【図６】
0003164803.tif 000008